(57)【特許請求の範囲】
【請求項１】
居室の壁面に固定した据付板に空気調和機の室内ユニットを取り付けるための空気調和機の室内ユニット据付装置において、
上記据付板は平坦な板体からなり、縦方向に細長い取付穴と横方向に細長い取付穴が壁面へのネジ固定用としてそれぞれ複数個配設され、上記据付板の上縁部に上止部を設けるとともに下縁部に下止部を設け、かつ上記室内ユニットの背面上縁部には上記上止部に対して左右横方向に摺動可能に係合する上係合部を設けるとともに下縁部には上記下止部に対して左右横方向に摺動可能に係合する下係合部を設け、
上記据付板に対して上記室内ユニットの位置を摺動可能な範囲で、左右横方向に調整可能にしたことを特徴とする空気調和機の室内ユニット据付装置。
【請求項２】
上記据付板の上記上止部は上記据付板の上縁部に沿って延在するとともに、上記据付板の上記下止部は横長の係合穴を有し、該係合穴に対して上記下係合部が左右横方向に摺動可能に係合することを特徴とする請求項１に記載の空気調和機の室内ユニット据付装置。
【請求項３】
居室の壁面に固定した据付板に空気調和機の室内ユニットを取り付けるための空気調和機の室内ユニット据付装置において、
上記据付板の上部には上端に上止部を形成した上止板を上下に摺動可能に設けるとともに上記据付板の下端に下止部を設け、かつ上記室内ユニットの背面上縁部には上記上止部に係合する上係合部を設けるとともに下縁部には上記下止部に係合する下係合部を設け、かつ上記据付板の上縁部と上記上止板の間に上記据付板に対する上記上止板の高さを調整する調整ネジを設け、
上記室内ユニットの上記上係合部は上記上止板の上記上止部に左右横方向に摺動可能に係合するとともに、上記室内ユニットの上記下係合部は上記据付板の上記下止部に左右横方向に摺動可能に係合し、
上記据付板に対して上記室内ユニットの位置を摺動可能な範囲で、左右横方向に調整可能にしたことを特徴とする空気調和機の室内ユニット据付装置。
【請求項４】
上記上止板は上記据付板の中心より左右両側に夫々設けられていることを特徴とする請求項３に記載の空気調和機の室内ユニット据付装置。
【請求項５】
上記各上止板は上記据付板の中心に近い位置を支点に回転可能に設けることを特徴とする請求項４に記載の空気調和機の室内ユニット据付装置。
【請求項６】
居室の壁面に固定した据付板に空気調和機の室内ユニットを取り付けるための空気調和機の室内ユニット据付装置において、
上記据付板の上縁部に上止部を設けるとともに下縁部に下止部を設け、かつ上記室内ユニットの背面上縁部には上記上止部に係合する上係合部を設けるとともに下縁部には上記下止部に係合する下係合部を設け、かつ上記上止部には該上止部から上方に延在するマーク部材を設けたことを特徴とする空気調和機の室内ユニット据付装置。
【請求項７】
上記マーク部材は上記上止部から延在した長さが上記居室の天井面から上記据付板までの距離と同じとしたことを特徴とする請求項６に記載の空気調和機の室内ユニット据付装置。
【発明の詳細な説明】
【０００１】
【発明の属する技術分野】
本発明は、空気調和機の室内ユニット据付装置に関するものである。
【０００２】
【従来の技術】
空気調和機の室内ユニット据付装置の従来技術について説明する。図１１は該室内ユニット装置の概略図である。据付板３１に設けた取付穴３２に夫々ネジ(図示せず)を挿入して居室の壁面３０にねじ込むことにより据付板３１を壁面３０に固定し、そして、この据付板３１の上縁部に設けた係合爪３３及び下部に設けた係合穴３４に空気調和機の室内ユニット３５の上縁部及び下部に設けた係合部(図示せず)を係合することにより、室内ユニット３５を据付板３１に取り付ける。
【０００３】
据付板３１の水平方向に対する位置決めは、天井面が水平である場合には、配管３６を室外へ導出するために壁面３０に設けた貫通穴３７との関係を考慮に入れて、据付板３１の左右両端における天井面との間隔や貫通穴３７との間隔を測定して行う。又、天井面が水平でない場合には、据付板３１の天面に水準器３８を置いて水平を取る。
【０００４】
【発明が解決しようとする課題】
上述した室内ユニット３５の取付作業において、ドリルによって壁面３０に形成される貫通穴３７は予め決められた位置よりも数cmずれることがある。この貫通穴３７の形成位置のバラツキがあるために、据付板３１及び室内ユニット３５を水平に且つ天井面と貫通穴３７との間隔を考慮して取り付けても、配管３６と貫通穴３７との位置関係が適当にはならない。したがって、配管３６を貫通穴３５に通したときに配管３６を構成する冷媒配管などが圧迫されて詰まったり、また室内ユニット３５から貫通穴３７の間で配管３６が水平に保たれないといった不都合が生じる。
【０００５】
このように室内ユニット３５と貫通穴３７との位置関係が不適当な場合のほか、室内ユニット３５を取り付けてから据付板３１が水平でないことが分かった場合、また据付板３１が水平であっても取り付けた室内ユニット３５が少し傾斜した状態に見える場合は、据付板３１及び室内ユニット３５の位置調整を必要とする。
【０００６】
従来の空気調和機の室内ユニット据付装置で位置調整を行うには、据付板３１より室内ユニット３５を脱し、再度据付板３１を位置調整した上で室内ユニット３５を取り付け直していた。故に、室内ユニット３５の取付作業はこの位置調整を必要とすることから多大な時間と手間がかかっていた。
【０００７】
さらに、空気調和機の性能及び効果を十分に発揮させるために、室内ユニット３５の設置位置は天井面と間隔を保つことが必要であり、且つ天井面に近いほどよいことを考慮しなければならず、据付板３１の位置決めは難しい作業であった。
【０００８】
又、室内ユニット３５を据付板３１に取り付けるために、据付板３１の上縁部には係合爪３３が２個設けられているが、室内ユニット３５を持ち上げて据付板３１に係合させるとき、係合爪３３の位置をおおよそで見極め取り付けている場合が多い。故に、取付作業に時間がかかるとともに室内ユニット３５に傷を付ける惧れもあった。
【０００９】
本発明は上記課題をかんがみて成されたものであり、室内ユニットの据付作業が簡単にできる空気調和機の室内ユニット据付装置を提供することを目的とする。
【００１０】
【課題を解決するための手段】
本発明は上記目的を達成するために、本発明の空気調和機の室内ユニット据付装置は、居室の壁面に固定した据付板に空気調和機の室内ユニットを取り付けるための空気調和機の室内ユニット据付装置において、据付板は平坦な板体からなり、縦方向に細長い取付穴と横方向に細長い取付穴が壁面へのネジ固定用としてそれぞれ複数個配設され、据付板の上縁部に上止部を設けるとともに下縁部に下止部を設け、かつ室内ユニットの背面上縁部には上止部に対して左右横方向に摺動可能に係合する上係合部を設けるとともに下縁部には下止部に対して左右横方向に摺動可能に係合する下係合部を設け、据付板に対して室内ユニットの位置を摺動可能な範囲で、左右横方向に調整可能にしたことを特徴とする。
【００１１】
この構成によれば、室内ユニットを据付板に対してその上止部と下止部に沿って左右横方向に摺動させることができる。その結果、室内ユニットから伸びている配管を壁面の貫通穴に挿入する際に室内ユニットの取付位置の関係から配管を首尾よく挿入できない場合等、室内ユニットの取付位置を調整する必要があるとき、室内ユニットを据付板の上止部と下止部に沿って左右横方向に摺動させることで位置調整することができる。
【００１２】
又、本発明の空気調和機の室内ユニット据付装置は、上記構成の室内ユニット据付装置において、据付板の上止部は据付板の上縁部に沿って延在するとともに、据付板の下止部は横長の係合穴を有し、この係合穴に対して下係合部が左右横方向に摺動可能に係合することを特徴とする。
【００１３】
この構成によれば、室内ユニットの上係合部は据付板の上止部に嵌合しながら左右方向に摺動することができ、室内ユニットの下係合部は据付板の下止部の係合穴に係合しながら左右方向に摺動することができる。このとき、室内ユニットの下係合部と据付板の下止部に設けた係合穴との係合により、室内ユニットと据付板の下縁部での係合は確実に行われる。
【００１４】
又、本発明の空気調和機の室内ユニット据付装置は、居室の壁面に固定した据付板に空気調和機の室内ユニットを取り付けるための空気調和機の室内ユニット据付装置において、据付板の上部には上端に上止部を形成した上止板を上下に摺動可能に設けるとともに据付板の下端に下止部を設け、かつ室内ユニットの背面上縁部には上止部に係合する上係合部を設けるとともに下縁部には下止部に係合する下係合部を設け、かつ据付板の上縁部と上止板の間に据付板に対する上止板の高さを調整する調整ネジを設け、室内ユニットの上係合部は上止板の上止部に左右横方向に摺動可能に係合するとともに、室内ユニットの下係合部は据付板の下止部に左右横方向に摺動可能に係合し、据付板に対して室内ユニットの位置を摺動可能な範囲で、左右横方向に調整可能にしたことを特徴とする。
【００１５】
この構成によれば、調整ネジの操作で据付板に対する上止板の高さを調整することにより、室内ユニットを据付板に対して上下方向に移動させることができる。その結果、室内ユニットから伸びている配管を壁面の貫通穴に挿入する際に室内ユニットの取付位置の関係から配管を首尾よく挿入できない場合等、室内ユニットの取付位置を調整する必要があるとき、上止板を据付板に対して上下方向に移動させることで室内ユニットを位置調整することができる。また、室内ユニットを据付板に沿って左右方向に摺動させるとともに調整ネジの操作で据付板に対する上止板の高さを上下方向に移動することができ、室内ユニットの左右並びに上下方向の位置調整ができる。
【００１８】
又、本発明の空気調和機の室内ユニット据付装置は、上記構成の室内ユニット据付装置において、上止板は据付板の中心より左右両側に夫々設けられていることを特徴とする。この構成によれば、調整ネジの操作で据付板に対する各上止板の高さを個別に調整することにより、室内ユニットの上下方向だけでなく傾きの調整ができる。
【００１９】
又、本発明の空気調和機の室内ユニット据付装置は、上記構成の室内ユニット据付装置において、各上止板は据付板の中心に近い位置を支点に回転可能に設けることを特徴とする。この構成によれば、調整ネジの操作で各上止板を回転させて据付板に対する各上止板の高さを個別に調整することにより、室内ユニットの上下方向及び傾きの調整ができる。
【００２０】
又、本発明の空気調和機の室内ユニット据付装置は、居室の壁面に固定した据付板に空気調和機の室内ユニットを取り付けるための空気調和機の室内ユニット据付装置において、据付板の上縁部に上止部を設けるとともに下縁部に下止部を設け、かつ室内ユニットの背面上縁部には上止部に係合する上係合部を設けるとともに下縁部には下止部に係合する下係合部を設け、かつ上止部には該上止部から上方に延在するマーク部材を設けたことを特徴とする。この構成によれば、室内ユニットを据付板に取り付ける際、マーク部材を目印にして室内ユニットを据付板にあてがい据付板の上止部に室内ユニットの上係合部を係合する。
【００２１】
又、本発明の空気調和機の室内ユニット据付装置は、上記構成の室内ユニット据付装置において、マーク部材は上止部から延在した長さが居室の天井面から据付板までの距離と同じとしたことを特徴とする。この構成によれば、マーク部材の上端が天井面に達するように据付板を位置決めすれば、簡単に据付板を所望の位置に固定することができる。
【００２２】
【発明の実施の形態】
以下、本発明の実施形態を図に従って詳細に説明する。
［第１実施形態］
図１及び図２は本発明の第１実施形態にかゝる空気調和機の室内ユニット据付装置で空気調和機の室内ユニットを居室の壁面に取り付けた状態を示す側断面図及び分解斜視図である。これらの図に示すように、室内ユニット１は据付板２によって、居室の壁面に取り付けられるようになっている。
【００２３】
室内ユニット１と据付板２の関係を説明する前に、室内ユニット１の構成について説明する。この室内ユニット１の内部構成は一般的な構成であり、図１に示すように室内ユニット１の前面パネル３は、その前面並びに上面に吸込口４ａ及び４ｂを備えるとともにこれら吸込口４ａ,４ｂより下方の位置に吹出口５を形成している。そして、この吹出口５には空気の吹き出し方向を上下方向に案内する上下風向調節板６と左右方向に案内する左右風向調節板７とが設けられている。
【００２４】
室内ユニット１内には、側面の略々中央に送風ファン１０が配置され、該送風ファン１０の駆動により上記吸込口４ａ,４ｂより吸い込んだ空気を空気ガイド１ａで上記吹出口５に導くように構成している。又、８は上記送風ファン１０と上記吸込口４ａ,４ｂとの間に配置されたフィルタであり、送風ファン１０の駆動によって室内ユニット１内に入る空気中の塵芥を除去するものである。
【００２５】
９ａ、９ｂ及び９ｃは、このフィルタ８と上記送風ファン１０との間に配置された熱交換器であり、３つに区分されている。又、１ｄは配管２３(図２参照)を収納する凹部である。
【００２６】
以上の構成において、送風ファン１０の駆動に基づいて、吸込口４ａ,４ｂより吸い込まれた空気は、途中フィルタ８で塵芥を除去された後、各熱交換器９ａ,９ｂ,９ｃで熱交換され、その後送風ファン１０を通過した後、吹出口５より上下風向調節板６及び左右風向調節板７で調節された方向に居室内に吹き出される。
【００２７】
室内ユニット１の内部は上述のように構成されているが、次いで上記据付板２の構成並びに室内ユニット１との関係について説明する。図３は据付板２の正面図であり、図４はその底面図である。図２及び図３に示すように、据付板２は下縁部に２個の延出部２ａを設けた平坦な板体からなり、板面の左右半分の夫々中程に縦方向に細長い取付穴２ｂと横方向に細長い取付穴２ｃとを夫々複数個配設している。
【００２８】
据付板２は、これら取付穴２ｂ,２ｃにネジ１１(図３では一部の取付穴２ｃに嵌合するもののみ図示)を挿入して居室の壁面１２(図１参照)にねじ込むことにより、該壁面１２に固定されている。勿論各取付穴２ｂ,２ｃは細長い形状であるから、ネジ１１を完全にねじ込む前に各取付穴２ｂ,２ｃに沿って据付板２を左右上下に摺動させることにより、壁面１２に対する左右並びに上下方向の位置調整ができる構成になっている。
【００２９】
１３は上記据付板２の上縁部に該上縁部に沿って長く形成した上止部であり、上記室内ユニット１の後面上縁部に形成した上係合部１ｂ(図１参照)が係脱自在で、しかも横方向に摺動可能に係合できるようになっている。又、この上係合部１ｂは室内ユニット１の上縁部に沿って細長く形成した１つの係合部であっても良く、又室内ユニット１の上縁部に沿って略等間隔に複数個設ける構成でも良い。
【００３０】
１４は上記延出部２ａの下端に形成した下止部であり、図４に示すように該下止部１４には横長の係合穴１４ａが備えられている。図５は据付板２の下止部１４での断面図である。係合穴１４ａには上記室内ユニット１の後面下縁部に形成された下係合部となる下係合爪１ｃが係脱自在で、しかも横方向に摺動可能に係合できるようになっている。尚、図４には係合穴１４ａに係合する下係合爪１ｃが図示されている。
【００３１】
このように据付板２を構成し、該据付板２を居室の壁面１２にネジ１１で水平に固定した後、室内ユニット１を持ち上げて上係合部１ｂを上記据付板２の上止部１３に係合するとともに下係合爪１ｃを据付板２の下止部１４に設けた係合穴１４ａに係合することにより、室内ユニット１を据付板２に取り付けることができる。
【００３２】
この室内ユニット１の取付時に、壁面１２に設けた貫通穴１５(図２参照)と据付板２との位置関係から、この貫通穴１５への配管２３の挿入に支障が生じることがある。これは、貫通穴１５を開ける際、ドリルによる開口作業の不首尾からずれたものであり、数ｃｍのずれになることもある。
【００３３】
このようなずれがある場合、室内ユニット１の上係合部１ｂと下係合爪１ｃは据付板２の上下止部１３,１４に沿って摺動可能であることから、上記室内ユニット１を左右方向に移動させてずれ量に応じた位置調整を行うことができる。この左右方向への位置調整は各３ｃｍ程度の余裕があれば達成できる。
【００３４】
図６は一般に空気調和機に備えられる配管２３の断面図である。配管２３は冷媒配管１６ａ,１６ｂ、連絡線１６ｃ、ドレンホース１６ｄの他、吸排気機能を持つ空気調和機で必要な吸気・換気用のダクト１６ｅから成る。
【００３５】
本実施形態では上述した位置調整ができることにより、この配管１６を貫通穴１５に挿入しても各管が圧迫されて詰まったり、室内ユニット１から貫通穴１５の間で配管２３が水平に保たれないといった不都合は生じない。又、上記位置調整は据付板２及び室内ユニット１を設置した後に行うことができるので、その作業は簡単で従来よりもかかる時間を短縮することができる。
【００３６】
［第２実施形態］
この第２実施形態は、上記第１実施形態ではできなかった室内ユニット１の取付後の上下方向の位置の微調整を可能にするものである。尚、以下に説明する以外の構成については第１実施形態と同様である。
【００３７】
図７は本実施形態における据付板２の平面図である。図に示すように、この第２実施形態では、第１実施形態で据付板２の上縁部に一体に形成していた上止部１３(図１参照)に替えて、据付板２の中心より左右両側の後面の位置に夫々横長の上止板１７を軸１８を中心に回転できるように枢支している。
【００３８】
この軸１８は据付板２の中心側に位置しており、上止板１７における軸１８よりも外側では自由端となって据付板２に設けられたガイドピン１９に係合し上下に円弧状に伸びるガイドスリット１７ａが設けられている(図７では一方のガイドスリット１７ａ及びガイドピン１９のみ図示)。又、この上止板１７の上縁部は室内ユニット１の上係合部１ｂ(図１参照)を係合するために係合部１７ｂを形成している。
【００３９】
２０は上記据付板２の上縁部において上止板１７の近くに設けたナット部であり、該ナット部２０には調整ネジ２１が螺合されている。図８は図７におけるナット部２０付近の拡大図であり、図９はその断面図である。図７乃至図９では一方のナット部２０、調整ネジ２１、及び後述する調整用傾斜溝２２について図示しているが、他方についてもこれと同様の構成である。
【００４０】
この調整ネジ２１は、その先端部を上止板１７の自由端側の端部に形成した調整用傾斜溝２２に挿入している。調整ネジ２１を回転させて、その先端部を調整用傾斜溝２２の傾斜面に沿って図中、左右に摺動させると、上止板１７は軸１８を中心に回転して据付板２に対する上止板１７の高さを調整できるようになっている。図８における一点鎖線１７'は調整ネジ２１を挿入方向に移動させたことで持ち上がった上止板を示している。
【００４１】
ここでは図示しない据付板２の係合穴１４ａ(図５参照)及び室内ユニット１の下係合爪１ｃ(図５参照)は、上止板１７の位置調整によって室内ユニット１が移動しても係合が保たれるように、十分な寸法の余裕をもって構成されている。本実施形態では、室内ユニット１の下係合爪１ｃが据付板２の係合穴１４ａ内で摺動可能に移動できるため、室内ユニット１の高さ調整を支障なく行うことができる。
【００４２】
上記のように上止板１７を構成している第２実施形態において、室内ユニット１を据付板２に取り付ける作業は上記第１実施形態と同様に据付板２を居室の壁面１２(図１参照)にネジ１１(図３参照)で水平に固定した後、室内ユニット１を持ち上げて上係合部１ｂを上記上止板１７の係合部１７ｂに係合するとともに下係合爪１ｃを据付板２の係合穴１４ａに係合することにより、室内ユニット１を据付板２に取り付けることができる。
【００４３】
そして、室内ユニット１を据付板２に取り付けた後、室内ユニット１の高さが適当でない場合には、左右両方の調整ネジ２１にドライバー(図示せず)をあてがって各調整ネジ２１を左右いずれかの方向に回転させ、各調整ネジ２１の先端部で調整用傾斜溝２２を介して上止板１７を軸１８を中心に回転させることにより、据付板２に対する上止板１７の高さを変化させ、結果的に室内ユニット１の高さを調整することができる。
【００４４】
室内ユニット１の左右の傾きが適当でない場合には、左右何れかの調整ネジ２１を操作して上止板１７を軸１８を中心に回転させることにより、据付板２に対する上止板１７の高さを変化させ、結果的に室内ユニット１の傾きを調整することができる。このように、上記位置調整は据付板２及び室内ユニット１を設置した後に行うことができるので、その作業は簡単で従来よりもかかる時間を短縮することができる。
【００４５】
尚、上記調整ネジ２１と調整用傾斜溝２２の関係に代えて、調整ネジ２１に先端部へいくほど径が小さくなるように傾斜面を設けるとともに上止板１７に該調整ネジ２１の先端部より直径の大きな調整用溝を設け、かつ上記調整ネジの先端傾斜面を調整用溝の入口上縁に当接させることにより、調整ネジの回転に基づいて先端傾斜面で調整用溝の入口上縁を介して上止板１７を上下させ、室内ユニット１の高さ及び傾きの調整が行える。
【００４６】
上記第２実施形態は据付板２の左右両側に各々上止板１７を設けたものであり、これら両上止板１７を一方の端部に設けた調整ネジ２１により軸１８を中心にして個別に回転させ、室内ユニット１の傾き及び高さを調整する。これに対して、上止板を据付板の左右両面に跨がる一枚の板材で形成し、この一枚の上止板を据付板に対し上下に摺動できるように据付板に備えるとともに、上止板の両側の端部で据付板との間に夫々調整ネジを設けてもよい。この構成では、調整ネジを回転調整することにより上止板を据付板に対して上下に摺動させ、室内ユニットの高さを調整することができる。
【００４７】
又、据付板の左右両側に各々上止板を設け、これらを据付板に対し上下に摺動できるように据付板に備えるとともに、各上止板の両側の端部で据付板との間に夫々調整ネジを設けてもよい。この構成では、調整ネジを回転調整することにより据付板に対して両上止板を個別に上下に摺動させ、室内ユニットの高さ及び傾きを調整することができる。
【００４８】
［第３実施形態］
次に、第３実施形態について説明する。本実施形態における以下の説明以外の構成は従来技術(図１１参照)と同様である。図１０は本実施形態の据付板２の平面図である。尚、ここでは、図１１に示すような壁面３０に固定するための取付穴３２や、室内ユニット３５を取り付けるための係合穴３４は図示していない。
【００４９】
本実施形態では据付板２の上縁部の左右の２カ所に上止爪２３を設け、この上止爪２３に柔軟なゴム又はプラスチックといった材料で成型されたマーク部材２４を設けている。マーク部材２４は上止爪２３から上方に延在しており、据付板２の天面からマーク部材２４の上端までの長さを、据付板２を壁面に固定したときの天井面からの距離と同じにしている。
【００５０】
室内ユニット３５(図１１参照)を据付板２に取り付ける作業は、上記第１及び第２実施形態と同様に、据付板２を居室の壁面にネジ(図示せず)で水平に固定した後、上記室内ユニットを持ち上げてその上縁部に設けた上係合部(図示せず)を据付板２の上止爪２３に係合させる。また、上記室内ユニットの下部に設けられた下係合部(図示せず)を据付板２の係合穴３４(図１１参照)に係合させる。
【００５１】
そして、この取付時にマーク部材２４を目標に室内ユニットを据付板２にあてがえば、据付板２の上止爪２３に上記室内ユニットの上係合部を簡単に係合させることができる。又、上記上係合部が係合するのに伴ってマーク部材２４は壁面方向に折れ曲がるので、作業に支障は生じない。
【００５２】
さらに、据付板２を壁面に固定するとき、マーク部材２４の上端が天井面に達するところで据付板２を位置決めすると、この据付板２は天井面から所望の間隔をもった位置に固定されることになる。又、据付板２の水平も容易に得ることができる。したがって、本実施形態によるとその取付作業は簡単で、従来に比べて時間を短縮することができる。
【００５３】
【発明の効果】
本発明は上述のように構成されるものであり、室内ユニットから延びる配管を壁面の貫通穴に挿入する際に室内ユニットの取付位置の関係から配管を首尾よく挿入できない場合や、室内ユニットの位置や傾きが適当でない場合、室内ユニットの取付位置の調整を必要とする。本発明の空気調和機の室内ユニット据付装置によると、室内ユニットを据付板の上止部と下止部に沿って左右横方向に摺動させることでその位置調整を行うことができる。
【００５４】
又、本発明の空気調和機の室内ユニット据付装置では、調整ネジを操作して据付板に対する上止板の高さを調整することにより室内ユニットの上下方向の位置調整ができ、また室内ユニットの左右横方向の摺動と調整ネジの操作によって上下、左右方向の位置調整ができる。さらに、本発明の空気調和機の室内ユニット据付装置では、左右両側に設けられた上止板により室内ユニットの傾きを調整することができる。
【００５５】
故に、位置調整のために室内ユニットと据付板を取り付け直す必要がなく、従来に比べてその作業は簡単で時間が短縮される。
【００５６】
又、本発明の空気調和機の室内ユニット据付装置によると、室内ユニットを据付板に取り付ける際、マーク部材を目印にして室内ユニットを据付板にあてがって取り付けるので、極めて簡単に室内ユニットを据付板に取り付けることができる。
【００５７】
又、本発明の空気調和機の室内ユニット据付装置によると、マーク部材の上端が天井面に達した位置で据付板を固定すればよいことから、困難であった据付板の位置決めを簡単に行うことができ、作業にかかる時間が短縮される。
【図面の簡単な説明】
【図１】  本発明の第１実施形態に係る空気調和機の室内ユニット据付装置を以て壁面に室内ユニットを取り付けた状態を示す側断面図である。
【図２】  同空気調和機の室内ユニット据付装置において、据付板より室内ユニットを取り外した状態を示す分解図である。
【図３】  同空気調和機の室内ユニット据え付装置における据付板の正面図である。
【図４】  同空気調和機の室内ユニット据え付装置における据付板の底面図である。
【図５】  同空気調和機の室内ユニット据え付装置における据付板の要部拡大断面図である。
【図６】  配管の内部を示す断面図である。
【図７】  本発明の第２実施形態に係る空気調和機の室内ユニット据付装置における据付板の要部を示す正面図である。
【図８】  同空気調和機の室内ユニット据付装置における据付板の要部を拡大して示す図である。
【図９】  同空気調和機の室内ユニット据付装置における据付板の要部を拡大して示す側面図である。
【図１０】  本発明の第３実施形態に係る空気調和機の室内ユニット据付装置における据付板を示す図である。
【図１１】  従来の空気調和機の室内ユニット据付装置を以て壁面に室内ユニットを取り付けた状態を示す側面断面図である。
【符号の説明】
１    室内ユニット
１ｂ  上係合部
１ｃ  下係合爪
２    据付板
８    フイルター
９ａ  熱交換器
９ｂ  熱交換器
９ｃ  熱交換器
１０    送風ファン
１３    上止部
１４    下止部
１４ａ  係合穴
１７    上止板
１８    軸
２１    調整ネジ
２２    調整用傾斜溝
２３    上止爪
２４    マーク部材
【図１】
0003729651.tif 000002
【図２】
0003729651.tif 000003
【図３】
0003729651.tif 000004
【図４】
0003729651.tif 000005
【図５】
0003729651.tif 000006
【図６】
0003729651.tif 000007
【図７】
0003729651.tif 000008
【図８】
0003729651.tif 000009
【図９】
0003729651.tif 000010
【図１０】
0003729651.tif 000011
【図１１】
0003729651.tif 000012